(57)【要約】  本発明は、ガス−蒸気コンバインドサイクル集中熱供給装置及び熱供給方法に関する。ガス−蒸気コンバインドサイクル集中熱供給装置は、ガス−蒸気コンバインドサイクルシステムと、加熱ネットワーク戻り水加熱システムと、サーマルステーションとを含み、ガス−蒸気コンバインドサイクルシステムは、加熱ネットワーク戻り水加熱システムを介してサーマルステーションに接続されており；ガス−蒸気コンバインドサイクルシステムは、ガスタービンと、廃熱ボイラと、直接接触型煙道ガス凝縮熱交換器と、蒸気タービンとを含み；ガスタービンは、廃熱ボイラに接続されており、廃熱ボイラは、直接接触型煙道ガス凝縮熱交換器及び蒸気タービンに接続されており；サーマルステーションは、温水型吸収式ヒートポンプと、水−水熱交換器とを含み；加熱ネットワーク戻り水加熱システムは、煙道ガスの廃熱を回収するための蒸気型吸収式ヒートポンプと、蒸気−水熱交換器とを含み；煙道ガスの廃熱を回収するための蒸気型吸収式ヒートポンプは、蒸気−水熱交換器、直接接触型煙道ガス凝縮熱交換器、廃熱ボイラ、蒸気タービン、及びサーマルステーションにそれぞれ接続されており、蒸気−水熱交換器は、廃熱ボイラ、蒸気タービン、及びサーマルステーションにそれぞれ接続されている。本発明は、発電設備の廃熱回収産業に広く適用することができる。【選択図】図１
2017510742.tif 000002
【特許請求の範囲】
【請求項１】
ガス−蒸気コンバインドサイクルシステムと、加熱ネットワーク戻り水加熱システムと、サーマルステーションとを含み、前記ガス−蒸気コンバインドサイクルシステムは、前記加熱ネットワーク戻り水加熱システムを介して前記サーマルステーションに接続されており；
前記ガス−蒸気コンバインドサイクルシステムは、ガスタービンと、廃熱ボイラと、直接接触型煙道ガス凝縮熱交換器と、蒸気タービンとを含み；前記ガスタービンの排気口は、前記廃熱ボイラの煙道ガス入口に接続されており；前記廃熱ボイラの煙道ガス出口は、前記直接接触型煙道ガス凝縮熱交換器の煙道ガス入口に接続されており、前記廃熱ボイラの蒸気出口は、前記蒸気タービンの抽出蒸気入口に接続されており、前記廃熱ボイラのドレン水入口は、前記加熱ネットワーク戻り水加熱システムに接続されており；前記直接接触型煙道ガス凝縮熱交換器の第１の中間媒体水入口、第１の中間媒体水出口、第２の中間媒体水入口、及び第２の中間媒体水出口は、前記加熱ネットワーク戻り水加熱システムに接続されており；前記蒸気タービンの抽出蒸気出口は、前記加熱ネットワーク戻り水加熱システムに接続されており；
前記サーマルステーションは、温水型吸収式ヒートポンプと、水−水熱交換器とを含み；前記温水型吸収式ヒートポンプの加熱ネットワーク戻り水出口及び加熱ネットワーク供給水入口は、前記加熱ネットワーク戻り水加熱システムに接続されており、前記温水型吸収式ヒートポンプの加熱ネットワーク供給水出口は、前記水−水熱交換器の加熱ネットワーク供給水入口に接続されており、前記温水型吸収式ヒートポンプの加熱ネットワーク戻り水入口は、前記水−水熱交換器の加熱ネットワーク供給水出口に接続されていることを特徴とするガス−蒸気コンバインドサイクル集中熱供給装置。
【請求項２】
前記加熱ネットワーク戻り水加熱システムは、煙道ガスの廃熱を回収するための蒸気型吸収式ヒートポンプと、蒸気−水熱交換器とを含み；前記煙道ガスの廃熱を回収するための蒸気型吸収式ヒートポンプの加熱ネットワーク水入口は、前記温水型吸収式ヒートポンプの前記加熱ネットワーク戻り水出口に接続されており、前記煙道ガスの廃熱を回収するための蒸気型吸収式ヒートポンプの加熱ネットワーク水出口は、前記蒸気−水熱交換器の加熱ネットワーク水入口に接続されており、前記蒸気−水熱交換器の加熱ネットワーク水出口は、前記温水型吸収式ヒートポンプの前記加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており、前記煙道ガスの廃熱を回収するための蒸気型吸収式ヒートポンプのドレン水出口、及び前記蒸気−水熱交換器のドレン水出口は、前記廃熱ボイラの前記ドレン水入口に接続されており、前記煙道ガスの廃熱を回収するための蒸気型吸収式ヒートポンプの抽出蒸気入口、及び前記蒸気−水熱交換器の抽出蒸気入口は、前記蒸気タービンの前記抽出蒸気出口に接続されている請求項１に記載のガス−蒸気コンバインドサイクル集中熱供給装置。
【請求項３】
前記加熱ネットワーク戻り水加熱システムは、煙道ガスの廃熱を回収するための蒸気型吸収式ヒートポンプと、蒸気−水熱交換器と、発電設備水−水熱交換器とを含み；前記発電設備水−水熱交換器の加熱ネットワーク水入口は、前記温水型吸収式ヒートポンプの前記加熱ネットワーク戻り水出口に接続されており、前記発電設備水−水熱交換器の加熱ネットワーク水出口は、前記煙道ガスの廃熱を回収するための蒸気型吸収式ヒートポンプの加熱ネットワーク水入口に接続されており；前記煙道ガスの廃熱を回収するための蒸気型吸収式ヒートポンプの加熱ネットワーク水出口は、前記蒸気−水熱交換器の加熱ネットワーク水入口に接続されており、前記蒸気−水熱交換器の加熱ネットワーク水出口は、前記温水型吸収式ヒートポンプの前記加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記発電設備水−水熱交換器の中間媒体水出口及び中間媒体水入口は、それぞれ、前記直接接触型煙道ガス凝縮熱交換器の前記第２の中間媒体水入口及び前記第２の中間媒体水出口に接続されており；前記煙道ガスの廃熱を回収するための蒸気型吸収式ヒートポンプのドレン水出口、及び前記蒸気−水熱交換器のドレン水出口は、前記廃熱ボイラの前記ドレン水入口に接続されており、前記煙道ガスの廃熱を回収するための蒸気型吸収式ヒートポンプの抽出蒸気入口、及び前記蒸気−水熱交換器の抽出蒸気入口は、前記蒸気タービンの前記抽出蒸気出口に接続されている請求項１に記載のガス−蒸気コンバインドサイクル集中熱供給装置。
【請求項４】
前記加熱ネットワーク戻り水加熱システムは、煙道ガスの廃熱を回収するための蒸気型吸収式ヒートポンプと、蒸気−水熱交換器と、発電設備水−水熱交換器と、凝縮器とを含み；前記発電設備水−水熱交換器の加熱ネットワーク水入口は、前記温水型吸収式ヒートポンプの前記加熱ネットワーク戻り水出口に接続されており、前記発電設備水−水熱交換器の加熱ネットワーク水出口は、前記凝縮器の加熱ネットワーク水入口に接続されており；前記凝縮器の加熱ネットワーク水出口は、前記煙道ガスの廃熱を回収するための蒸気型吸収式ヒートポンプの加熱ネットワーク水入口に接続されており；前記煙道ガスの廃熱を回収するための蒸気型吸収式ヒートポンプの加熱ネットワーク水出口は、前記蒸気−水熱交換器の加熱ネットワーク水入口に接続されており；前記蒸気−水熱交換器の加熱ネットワーク水出口は、前記サーマルステーション内の前記温水型吸収式ヒートポンプの前記加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記発電設備水−水熱交換器の中間媒体水出口及び中間媒体水入口は、それぞれ、前記直接接触型煙道ガス凝縮熱交換器の前記第２の中間媒体水入口及び前記第２の中間媒体水出口に接続されており；前記煙道ガスの廃熱を回収するための蒸気型吸収式ヒートポンプのドレン水出口、前記蒸気−水熱交換器のドレン水出口、及び前記凝縮器のドレン水出口は、前記廃熱ボイラの前記ドレン水入口に接続されており；前記煙道ガスの廃熱を回収するための蒸気型吸収式ヒートポンプの抽出蒸気入口、及び前記蒸気−水熱交換器の抽出蒸気入口は、前記蒸気タービンの前記抽出蒸気出口に接続されており；前記凝縮器の排蒸気入口は、前記蒸気タービンの排蒸気出口に接続されている請求項１に記載のガス−蒸気コンバインドサイクル集中熱供給装置。
【請求項５】
前記加熱ネットワーク戻り水加熱システムは、煙道ガスの廃熱を回収するための蒸気型吸収式ヒートポンプと、蒸気−水熱交換器と、発電設備水−水熱交換器と、凝縮器とを含み；前記凝縮器の加熱ネットワーク水入口は、前記温水型吸収式ヒートポンプの前記加熱ネットワーク戻り水出口に接続されており、前記凝縮器の加熱ネットワーク水出口は、前記発電設備水−水熱交換器の加熱ネットワーク水入口に接続されており、前記発電設備水−水熱交換器の加熱ネットワーク水出口は、前記煙道ガスの廃熱を回収するための蒸気型吸収式ヒートポンプの加熱ネットワーク水入口に接続されており；前記煙道ガスの廃熱を回収するための蒸気型吸収式ヒートポンプの加熱ネットワーク水出口は、前記蒸気−水熱交換器の加熱ネットワーク水入口に接続されており、前記蒸気−水熱交換器の加熱ネットワーク水出口は、前記温水型吸収式ヒートポンプの前記加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記発電設備水−水熱交換器の中間媒体水出口及び中間媒体水入口は、それぞれ、前記直接接触型煙道ガス凝縮熱交換器の前記第２の中間媒体水入口及び前記第２の中間媒体水出口に接続されており；前記煙道ガスの廃熱を回収するための蒸気型吸収式ヒートポンプのドレン水出口、前記蒸気−水熱交換器のドレン水出口、及び前記凝縮器のドレン水出口は、前記廃熱ボイラの前記ドレン水入口に接続されており、前記煙道ガスの廃熱を回収するための蒸気型吸収式ヒートポンプの抽出蒸気入口、及び前記蒸気−水熱交換器の抽出蒸気入口は、前記蒸気タービンの前記抽出蒸気出口に接続されており；前記凝縮器の排蒸気入口は、前記蒸気タービンの排蒸気出口に接続されている請求項１に記載のガス−蒸気コンバインドサイクル集中熱供給装置。
【請求項６】
前記加熱ネットワーク戻り水加熱システムは、煙道ガスの廃熱を回収するための蒸気型吸収式ヒートポンプと、蒸気−水熱交換器と、発電設備水−水熱交換器と、凝縮器とを含み；前記発電設備水−水熱交換器の加熱ネットワーク水入口、及び前記凝縮器の加熱ネットワーク水入口は、前記温水型吸収式ヒートポンプの前記加熱ネットワーク戻り水出口に接続されており；前記発電設備水−水熱交換器の加熱ネットワーク水出口、及び前記凝縮器の加熱ネットワーク水出口は、前記煙道ガスの廃熱を回収するための蒸気型吸収式ヒートポンプの加熱ネットワーク水入口に接続されており、前記煙道ガスの廃熱を回収するための蒸気型吸収式ヒートポンプの加熱ネットワーク水出口は、前記蒸気−水熱交換器の加熱ネットワーク水入口に接続されており；前記蒸気−水熱交換器の加熱ネットワーク水出口は、前記温水型吸収式ヒートポンプの前記加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記発電設備水−水熱交換器の中間媒体水出口及び中間媒体水入口は、それぞれ、前記直接接触型煙道ガス凝縮熱交換器の前記第２の中間媒体水入口及び前記第２の中間媒体水出口に接続されており；前記煙道ガスの廃熱を回収するための蒸気型吸収式ヒートポンプのドレン水出口、前記蒸気−水熱交換器のドレン水出口、及び前記凝縮器のドレン水出口は、前記廃熱ボイラの前記ドレン水入口に接続されており；前記煙道ガスの廃熱を回収するための蒸気型吸収式ヒートポンプの抽出蒸気入口、及び前記蒸気−水熱交換器の抽出蒸気入口は、前記蒸気タービンの前記抽出蒸気出口に接続されており；前記凝縮器の排蒸気入口は、前記蒸気タービンの排蒸気出口に接続されている請求項１に記載のガス−蒸気コンバインドサイクル集中熱供給装置。
【請求項７】
前記加熱ネットワーク戻り水加熱システムは、煙道ガスの廃熱を回収するための蒸気型吸収式ヒートポンプと、蒸気−水熱交換器と、凝縮器と、排蒸気の廃熱を回収するための蒸気型吸収式ヒートポンプとを含み；前記排蒸気の廃熱を回収するための蒸気型吸収式ヒートポンプの加熱ネットワーク水入口は、前記温水型吸収式ヒートポンプの前記加熱ネットワーク戻り水出口に接続されており、前記排蒸気の廃熱を回収するための蒸気型吸収式ヒートポンプの加熱ネットワーク水出口は、前記煙道ガスの廃熱を回収するための蒸気型吸収式ヒートポンプの加熱ネットワーク水入口に接続されており；前記排蒸気の廃熱を回収するための蒸気型吸収式ヒートポンプの中間冷却循環水出口及び中間冷却循環水入口は、それぞれ、前記凝縮器の中間冷却循環水入口及び中間冷却循環水出口に接続されており；前記煙道ガスの廃熱を回収するための蒸気型吸収式ヒートポンプの加熱ネットワーク水出口は、前記蒸気−水熱交換器の加熱ネットワーク水入口に接続されており；前記蒸気−水熱交換器の加熱ネットワーク水出口は、前記温水型吸収式ヒートポンプの加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記煙道ガスの廃熱を回収するための蒸気型吸収式ヒートポンプのドレン水出口、前記蒸気−水熱交換器のドレン水出口、前記凝縮器のドレン水出口、及び前記排蒸気の廃熱を回収するための蒸気型吸収式ヒートポンプのドレン水出口は、前記廃熱ボイラの前記ドレン水入口に接続されており；前記煙道ガスの廃熱を回収するための蒸気型吸収式ヒートポンプの抽出蒸気入口、前記蒸気−水熱交換器の抽出蒸気入口、及び前記排蒸気の廃熱を回収するための蒸気型吸収式ヒートポンプの抽出蒸気入口は、前記蒸気タービンの前記抽出蒸気出口に接続されており；前記凝縮器の排蒸気入口は、前記蒸気タービンの排蒸気出口に接続されている請求項１に記載のガス−蒸気コンバインドサイクル集中熱供給装置。
【請求項８】
前記加熱ネットワーク戻り水加熱システムは、煙道ガスの廃熱を回収するための蒸気型吸収式ヒートポンプと、蒸気−水熱交換器と、発電設備水−水熱交換器と、凝縮器と、排蒸気の廃熱を回収するための蒸気型吸収式ヒートポンプとを含み；前記発電設備水−水熱交換器の加熱ネットワーク水入口は、前記温水型吸収式ヒートポンプの前記加熱ネットワーク戻り水出口に接続されており、前記発電設備水−水熱交換器の加熱ネットワーク水出口は、前記排蒸気の廃熱を回収するための蒸気型吸収式ヒートポンプの加熱ネットワーク水入口に接続されており；前記排蒸気の廃熱を回収するための蒸気型吸収式ヒートポンプの加熱ネットワーク水出口は、前記煙道ガスの廃熱を回収するための蒸気型吸収式ヒートポンプの加熱ネットワーク水入口に接続されており；前記排蒸気の廃熱を回収するための蒸気型吸収式ヒートポンプの中間冷却循環水出口及び中間冷却循環水入口は、それぞれ、前記凝縮器の中間冷却循環水入口及び中間冷却循環水出口に接続されており；前記煙道ガスの廃熱を回収するための蒸気型吸収式ヒートポンプの加熱ネットワーク水出口は、前記蒸気−水熱交換器の加熱ネットワーク水入口に接続されており；前記蒸気−水熱交換器の加熱ネットワーク水出口は、前記温水型吸収式ヒートポンプの前記加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記発電設備水−水熱交換器の中間媒体水出口及び中間媒体水入口は、それぞれ、前記直接接触型煙道ガス凝縮熱交換器の前記第２の中間媒体水入口及び前記第２の中間媒体水出口に接続されており；前記煙道ガスの廃熱を回収するための蒸気型吸収式ヒートポンプのドレン水出口、前記蒸気−水熱交換器のドレン水出口、前記凝縮器のドレン水出口、及び前記排蒸気の廃熱を回収するための蒸気型吸収式ヒートポンプのドレン水出口は、前記廃熱ボイラの前記ドレン水入口に接続されており；前記煙道ガスの廃熱を回収するための蒸気型吸収式ヒートポンプの抽出蒸気入口、前記蒸気−水熱交換器の抽出蒸気入口、及び前記排蒸気の廃熱を回収するための蒸気型吸収式ヒートポンプの抽出蒸気入口は、前記蒸気タービンの前記抽出蒸気出口に接続されており；前記凝縮器の排蒸気入口は、前記蒸気タービンの排蒸気出口に接続されている請求項１に記載のガス−蒸気コンバインドサイクル集中熱供給装置。
【請求項９】
前記加熱ネットワーク戻り水加熱システムは、煙道ガスの廃熱を回収するための蒸気型吸収式ヒートポンプと、蒸気−水熱交換器と、発電設備水−水熱交換器と、凝縮器と、排蒸気の廃熱を回収するための蒸気型吸収式ヒートポンプとを含み；前記凝縮器の加熱ネットワーク水入口は、前記温水型吸収式ヒートポンプの前記加熱ネットワーク戻り水出口に接続されており；前記凝縮器の加熱ネットワーク水出口は、前記発電設備水−水熱交換器の加熱ネットワーク水入口に接続されており；前記発電設備水−水熱交換器の加熱ネットワーク水出口は、前記煙道ガスの廃熱を回収するための蒸気型吸収式ヒートポンプの加熱ネットワーク水入口に接続されており；前記煙道ガスの廃熱を回収するための蒸気型吸収式ヒートポンプの加熱ネットワーク水出口は、前記排蒸気の廃熱を回収するための蒸気型吸収式ヒートポンプの加熱ネットワーク水入口に接続されており；前記排蒸気の廃熱を回収するための蒸気型吸収式ヒートポンプの加熱ネットワーク水出口は、前記蒸気−水熱交換器の加熱ネットワーク水入口に接続されており、前記排蒸気の廃熱を回収するための蒸気型吸収式ヒートポンプの中間冷却循環水出口及び中間冷却循環水入口は、それぞれ、前記凝縮器の中間冷却循環水入口及び中間冷却循環水出口に接続されており；前記蒸気−水熱交換器の加熱ネットワーク水出口は、前記温水型吸収式ヒートポンプの前記加熱ネットワーク供給水入口に接続されており；前記煙道ガスの廃熱を回収するための蒸気型吸収式ヒートポンプのドレン水出口、前記蒸気−水熱交換器のドレン水出口、前記凝縮器のドレン水出口、及び前記排蒸気の廃熱を回収するための蒸気型吸収式ヒートポンプのドレン水出口は、前記廃熱ボイラの前記ドレン水入口に接続されており；前記煙道ガスの廃熱を回収するための蒸気型吸収式ヒートポンプの抽出蒸気入口、前記蒸気−水熱交換器の抽出蒸気入口、及び前記排蒸気の廃熱を回収するための蒸気型吸収式ヒートポンプの抽出蒸気入口は、前記蒸気タービンの前記抽出蒸気出口に接続されており；前記凝縮器の排蒸気入口は、前記蒸気タービンの排蒸気出口に接続されている請求項１に記載のガス−蒸気コンバインドサイクル集中熱供給装置。
【請求項１０】
１）前記ガス−蒸気コンバインドサイクルシステムにおいて、天然ガス及び空気が混合され前記ガスタービンの燃焼チャンバー内で燃焼されて高温の煙道ガスを生成し、該高温の煙道ガスが前記ガスタービンの燃焼タービン内に流れ込み、膨張して仕事を行い、発電機を駆動させて電力を発生させ；仕事を行った後、前記煙道ガスは、前記廃熱ボイラに入り前記廃熱ボイラ内のボイラ供給水を加熱して前記廃熱ボイラ内に高温蒸気を生成し；前記廃熱ボイラから排出される前記煙道ガスが、前記直接接触型煙道ガス凝縮熱交換器に入り、冷却され、次いで大気中に排出され、前記廃熱ボイラ内で生成した前記高温蒸気が、前記蒸気タービンに入り仕事を行い、電力を発生させ、前記蒸気タービンから抽出蒸気が抽出され、抽出された前記抽出蒸気が前記加熱ネットワーク戻り水加熱システムに入る工程と；
２）前記サーマルステーションから排出される加熱ネットワーク低温戻り水が、前記加熱ネットワーク戻り水加熱システムに入り、前記加熱ネットワーク戻り水加熱システムにおいて加熱され、加熱された前記加熱ネットワーク低温戻り水が、加熱ネットワーク高温供給水として利用されて前記サーマルステーションに戻され、ここで、前記加熱ネットワーク戻り水加熱システムにおいて生成した中間媒体水が、前記直接接触型煙道ガス凝縮熱交換器に入り、前記直接接触型煙道ガス凝縮熱交換器において前記煙道ガスにより加熱され、加熱された前記中間媒体水が前記加熱ネットワーク戻り水加熱システムに戻され；前記加熱ネットワーク戻り水加熱システムにおいて生成した前記抽出蒸気の復水が前記蒸気ボイラに戻される工程と；
３）前記サーマルステーションに戻された前記加熱ネットワーク高温供給水がまず駆動熱源として利用されて前記温水型吸収式ヒートポンプに入り、前記温水型吸収式ヒートポンプ内で熱を放出して冷却され、次いで前記サーマルステーション内の前記水−水熱交換器に入りユーザ供給水を加熱し、前記サーマルステーション内の前記水−水熱交換器内で冷却され、次いで再び低温熱源として前記温水型吸収式ヒートポンプに入り、最終的に、熱を放射して前記加熱ネットワーク低温戻り水の設計温度まで冷却され、前記加熱ネットワーク低温戻り水として利用されて前記サーマルステーションから前記加熱ネットワーク戻り水加熱システムに入る工程と；
を含むことを特徴とする請求項１から９のいずれかに記載のガス−蒸気コンバインドサイクル集中熱供給装置の熱供給方法。
【発明の詳細な説明】
【技術分野】
【０００１】
本発明は、熱供給装置及び熱供給方法、特にガス−蒸気コンバインドサイクル集中熱供給装置及び熱供給方法に関する。
【背景技術】
【０００２】
ガスによる熱電併給は、熱エネルギーと電気エネルギーとを同時に生成するエネルギー利用形態である。熱電併給は、エネルギーの利用効率を改善させるだけでなく環境汚染を低減できるように、電力を発生させるために高温熱エネルギーを利用するとともに、熱を供給するために低温熱エネルギーを利用する。天然ガスは高発熱量のクリーンエネルギーであり、燃焼中に生成される温室効果ガス及び他の有害な物質は他の化石燃料に比べてはるかに少なく、従って天然ガス熱電併給は、空気を汚染する炭素及び排出物を削減する面において非常に大きな応用価値を有する。
【０００３】
現在のガス−蒸気コンバインドサイクル熱電併給システムは、主に、ガス−蒸気コンバインドサイクル（ガスタービン、廃熱ボイラ、及び蒸気タービンを含む）、及び蒸気−水熱交換器等からなる。現在のガスによる熱電併給集中熱供給装置は、主に以下のような問題を有する。（１）熱電比が低い。従来のガスによる熱電併給装置により生成される熱電比にはある程度の制限があり、主要電力生成効率が高いことにより、装置がより進歩しており変換効率が高い程、熱電比は小さくなり、例えば、１００，０００ｋＷのガス−蒸気コンバインドサイクルを採用することによる熱電比は約０．７である。熱電比が低いことは、熱供給効率が低いことを意味する。熱供給量を満たすためには、大量の天然ガスを消費する必要がある。その結果として、環境汚染が引き起こされるだけでなく、熱供給の安全性に影響する。（２）エネルギー損失が大きい。従来のガス−蒸気コンバインドサイクル熱電併給集中熱供給システムの煙道ガスの排気温度は一般的に９０℃以上であり、この部分の熱は大量の水蒸気の蒸発潜熱を含んでおり、蒸発潜熱は一般的に天然ガスの低発熱量の約１０％〜１１％を占める。また、蒸気タービンの煙道ガス凝縮時に放出される熱は、循環水によって奪われて大気中に放出され、この部分の熱は天然ガスの低発熱量の約６％〜１２％を占める。（３）環境配慮、及び景観効果が乏しい。上述のように、ガスの大量消費は、必然的に汚染物質の大量放出を引き起こす。また、煙道ガス中に含まれる大量の水蒸気は、煙突が「白煙」を排出し、環境が汚染され、景観効果が乏しいという情景を呼び起こす。
【発明の概要】
【０００４】
上記課題を対象として、本発明の目的は、発電設備の廃熱を回収し、エネルギーの総合的な利用効率を改善し、エネルギー消費及び環境汚染を低減することができるガス−蒸気コンバインドサイクル集中熱供給装置及び熱供給方法を提供することにある。
【０００５】
上記目的を実現するために、本発明は、以下の技術的解決法を採用する。ガス−蒸気コンバインドサイクル集中熱供給装置は、ガス−蒸気コンバインドサイクルシステムと、加熱ネットワーク戻り水加熱システムと、サーマルステーションとを含み、前記ガス−蒸気コンバインドサイクルシステムは、前記加熱ネットワーク戻り水加熱システムを介して前記サーマルステーションに接続されており；前記ガス−蒸気コンバインドサイクルシステムは、ガスタービンと、廃熱ボイラと、直接接触型煙道ガス凝縮熱交換器と、蒸気タービンとを含み；前記ガスタービンの排気口は、前記廃熱ボイラの煙道ガス入口に接続されており；前記廃熱ボイラの煙道ガス出口は、前記直接接触型煙道ガス凝縮熱交換器の煙道ガス入口に接続されており、前記廃熱ボイラの蒸気出口は、前記蒸気タービンの抽出蒸気入口に接続されており、前記廃熱ボイラのドレン水入口は、前記加熱ネットワーク戻り水加熱システムに接続されており；前記直接接触型煙道ガス凝縮熱交換器の第１の中間媒体水入口、第１の中間媒体水出口、第２の中間媒体水入口、及び第２の中間媒体水出口は、前記加熱ネットワーク戻り水加熱システムに接続されており；前記蒸気タービンの抽出蒸気出口は、前記加熱ネットワーク戻り水加熱システムに接続されており；前記サーマルステーションは、温水型吸収式ヒートポンプと、水−水熱交換器とを含み；前記温水型吸収式ヒートポンプの加熱ネットワーク戻り水出口及び加熱ネットワーク供給水入口は、前記加熱ネットワーク戻り水加熱システムに接続されており、前記温水型吸収式ヒートポンプの加熱ネットワーク供給水出口は、前記水−水熱交換器の加熱ネットワーク供給水入口に接続されており、前記温水型吸収式ヒートポンプの加熱ネットワーク戻り水入口は、前記水−水熱交換器の加熱ネットワーク供給水出口に接続されていることを特徴とする。
【０００６】
前記加熱ネットワーク戻り水加熱システムは、煙道ガスの廃熱を回収するための蒸気型吸収式ヒートポンプと、蒸気−水熱交換器とを含み；前記煙道ガスの廃熱を回収するための蒸気型吸収式ヒートポンプの加熱ネットワーク水入口は、前記温水型吸収式ヒートポンプの前記加熱ネットワーク戻り水出口に接続されており、前記煙道ガスの廃熱を回収するための蒸気型吸収式ヒートポンプの加熱ネットワーク水出口は、前記蒸気−水熱交換器の加熱ネットワーク水入口に接続されており、前記蒸気−水熱交換器の加熱ネットワーク水出口は、前記温水型吸収式ヒートポンプの前記加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており、前記煙道ガスの廃熱を回収するための蒸気型吸収式ヒートポンプのドレン水出口、及び前記蒸気−水熱交換器のドレン水出口は、前記廃熱ボイラの前記ドレン水入口に接続されており、前記煙道ガスの廃熱を回収するための蒸気型吸収式ヒートポンプの抽出蒸気入口、及び前記蒸気−水熱交換器の抽出蒸気入口は、前記蒸気タービンの前記抽出蒸気出口に接続されている。
【０００７】
前記加熱ネットワーク戻り水加熱システムは、煙道ガスの廃熱を回収するための蒸気型吸収式ヒートポンプと、蒸気−水熱交換器と、発電設備水−水熱交換器とを含み；前記発電設備水−水熱交換器の加熱ネットワーク水入口は、前記温水型吸収式ヒートポンプの前記加熱ネットワーク戻り水出口に接続されており、前記発電設備水−水熱交換器の加熱ネットワーク水出口は、前記煙道ガスの廃熱を回収するための蒸気型吸収式ヒートポンプの加熱ネットワーク水入口に接続されており；前記煙道ガスの廃熱を回収するための蒸気型吸収式ヒートポンプの加熱ネットワーク水出口は、前記蒸気−水熱交換器の加熱ネットワーク水入口に接続されており、前記蒸気−水熱交換器の加熱ネットワーク水出口は、前記温水型吸収式ヒートポンプの加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記発電設備水−水熱交換器の中間媒体水出口及び中間媒体水入口は、それぞれ、前記直接接触型煙道ガス凝縮熱交換器の前記第２の中間媒体水入口及び前記第２の中間媒体水出口に接続されており；前記煙道ガスの廃熱を回収するための蒸気型吸収式ヒートポンプのドレン水出口、及び前記蒸気−水熱交換器のドレン水出口は、前記廃熱ボイラの前記ドレン水入口に接続されており、前記煙道ガスの廃熱を回収するための蒸気型吸収式ヒートポンプの抽出蒸気入口、及び前記蒸気−水熱交換器の抽出蒸気入口は、前記蒸気タービンの前記抽出蒸気出口に接続されている。
【０００８】
前記加熱ネットワーク戻り水加熱システムは、煙道ガスの廃熱を回収するための蒸気型吸収式ヒートポンプと、蒸気−水熱交換器と、発電設備水−水熱交換器と、凝縮器とを含み；前記発電設備水−水熱交換器の加熱ネットワーク水入口は、前記温水型吸収式ヒートポンプの前記加熱ネットワーク戻り水出口に接続されており、前記発電設備水−水熱交換器の加熱ネットワーク水出口は、前記凝縮器の加熱ネットワーク水入口に接続されており；前記凝縮器の加熱ネットワーク水出口は、前記煙道ガスの廃熱を回収するための蒸気型吸収式ヒートポンプの加熱ネットワーク水入口に接続されており；前記煙道ガスの廃熱を回収するための蒸気型吸収式ヒートポンプの加熱ネットワーク水出口は、前記蒸気−水熱交換器の加熱ネットワーク水入口に接続されており；前記蒸気−水熱交換器の加熱ネットワーク水出口は、前記サーマルステーション内の前記温水型吸収式ヒートポンプの前記加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記発電設備水−水熱交換器の中間媒体水出口及び中間媒体水入口は、それぞれ、前記直接接触型煙道ガス凝縮熱交換器の前記第２の中間媒体水入口及び前記第２の中間媒体水出口に接続されており；前記煙道ガスの廃熱を回収するための蒸気型吸収式ヒートポンプのドレン水出口、前記蒸気−水熱交換器のドレン水出口、及び前記凝縮器のドレン水出口は、前記廃熱ボイラの前記ドレン水入口に接続されており；前記煙道ガスの廃熱を回収するための蒸気型吸収式ヒートポンプの抽出蒸気入口、及び前記蒸気−水熱交換器の抽出蒸気入口は、前記蒸気タービンの前記抽出蒸気出口に接続されており；前記凝縮器の排蒸気入口は、前記蒸気タービンの排蒸気出口に接続されている。
【０００９】
前記加熱ネットワーク戻り水加熱システムは、煙道ガスの廃熱を回収するための蒸気型吸収式ヒートポンプと、蒸気−水熱交換器と、発電設備水−水熱交換器と、凝縮器とを含み；前記凝縮器の加熱ネットワーク水入口は、前記温水型吸収式ヒートポンプの前記加熱ネットワーク戻り水出口に接続されており、前記凝縮器の加熱ネットワーク水出口は、前記発電設備水−水熱交換器の加熱ネットワーク水入口に接続されており、前記発電設備水−水熱交換器の加熱ネットワーク水出口は、前記煙道ガスの廃熱を回収するための蒸気型吸収式ヒートポンプの加熱ネットワーク水入口に接続されており；前記煙道ガスの廃熱を回収するための蒸気型吸収式ヒートポンプの加熱ネットワーク水出口は、前記蒸気−水熱交換器の加熱ネットワーク水入口に接続されており、前記蒸気−水熱交換器の加熱ネットワーク水出口は、前記温水型吸収式ヒートポンプの前記加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記発電設備水−水熱交換器の中間媒体水出口及び中間媒体水入口は、それぞれ、前記直接接触型煙道ガス凝縮熱交換器の前記第２の中間媒体水入口及び前記第２の中間媒体水出口に接続されており；前記煙道ガスの廃熱を回収するための蒸気型吸収式ヒートポンプのドレン水出口、前記蒸気−水熱交換器のドレン水出口、及び前記凝縮器のドレン水出口は、前記廃熱ボイラの前記ドレン水入口に接続されており、前記煙道ガスの廃熱を回収するための蒸気型吸収式ヒートポンプの抽出蒸気入口、及び前記蒸気−水熱交換器の抽出蒸気入口は、前記蒸気タービンの前記抽出蒸気出口に接続されており；前記凝縮器の排蒸気入口は、前記蒸気タービンの排蒸気出口に接続されている。
【００１０】
前記加熱ネットワーク戻り水加熱システムは、煙道ガスの廃熱を回収するための蒸気型吸収式ヒートポンプと、蒸気−水熱交換器と、発電設備水−水熱交換器と、凝縮器とを含み；前記発電設備水−水熱交換器の加熱ネットワーク水入口、及び前記凝縮器の加熱ネットワーク水入口は、前記温水型吸収式ヒートポンプの前記加熱ネットワーク戻り水出口に接続されており；前記発電設備水−水熱交換器の加熱ネットワーク水出口、及び前記凝縮器の加熱ネットワーク水出口は、前記煙道ガスの廃熱を回収するための蒸気型吸収式ヒートポンプの加熱ネットワーク水入口に接続されており、前記煙道ガスの廃熱を回収するための蒸気型吸収式ヒートポンプの加熱ネットワーク水出口は、前記蒸気−水熱交換器の加熱ネットワーク水入口に接続されており；前記蒸気−水熱交換器の加熱ネットワーク水出口は、前記温水型吸収式ヒートポンプの加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記発電設備水−水熱交換器の中間媒体水出口及び中間媒体水入口は、それぞれ、前記直接接触型煙道ガス凝縮熱交換器の前記第２の中間媒体水入口及び前記第２の中間媒体水出口に接続されており；前記煙道ガスの廃熱を回収するための蒸気型吸収式ヒートポンプのドレン水出口、前記蒸気−水熱交換器のドレン水出口、及び前記凝縮器のドレン水出口は、前記廃熱ボイラの前記ドレン水入口に接続されており；前記煙道ガスの廃熱を回収するための蒸気型吸収式ヒートポンプの抽出蒸気入口、及び前記蒸気−水熱交換器の抽出蒸気入口は、前記蒸気タービンの前記抽出蒸気出口に接続されており；前記凝縮器の排蒸気入口は、前記蒸気タービンの排蒸気出口に接続されている。
【００１１】
前記加熱ネットワーク戻り水加熱システムは、煙道ガスの廃熱を回収するための蒸気型吸収式ヒートポンプと、蒸気−水熱交換器と、凝縮器と、排蒸気の廃熱を回収するための蒸気型吸収式ヒートポンプとを含み；前記排蒸気の廃熱を回収するための蒸気型吸収式ヒートポンプの加熱ネットワーク水入口は、前記温水型吸収式ヒートポンプの前記加熱ネットワーク戻り水出口に接続されており、前記排蒸気の廃熱を回収するための蒸気型吸収式ヒートポンプの加熱ネットワーク水出口は、前記煙道ガスの廃熱を回収するための蒸気型吸収式ヒートポンプの加熱ネットワーク水入口に接続されており；前記排蒸気の廃熱を回収するための蒸気型吸収式ヒートポンプの中間冷却循環水出口及び中間冷却循環水入口は、それぞれ、前記凝縮器の中間冷却循環水入口及び中間冷却循環水出口に接続されており；前記煙道ガスの廃熱を回収するための蒸気型吸収式ヒートポンプの加熱ネットワーク水出口は、前記蒸気−水熱交換器の加熱ネットワーク水入口に接続されており；前記蒸気−水熱交換器の加熱ネットワーク水出口は、前記温水型吸収式ヒートポンプの加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記煙道ガスの廃熱を回収するための蒸気型吸収式ヒートポンプのドレン水出口、前記蒸気−水熱交換器のドレン水出口、前記凝縮器のドレン水出口、及び前記排蒸気の廃熱を回収するための蒸気型吸収式ヒートポンプのドレン水出口は、前記廃熱ボイラの前記ドレン水入口に接続されており；前記煙道ガスの廃熱を回収するための蒸気型吸収式ヒートポンプの抽出蒸気入口、前記蒸気−水熱交換器の抽出蒸気入口、及び前記排蒸気の廃熱を回収するための蒸気型吸収式ヒートポンプの抽出蒸気入口は、前記蒸気タービンの前記抽出蒸気出口に接続されており；前記凝縮器の排蒸気入口は、前記蒸気タービンの排蒸気出口に接続されている。
【００１２】
前記加熱ネットワーク戻り水加熱システムは、煙道ガスの廃熱を回収するための蒸気型吸収式ヒートポンプと、蒸気−水熱交換器と、発電設備水−水熱交換器と、凝縮器と、排蒸気の廃熱を回収するための蒸気型吸収式ヒートポンプとを含み；前記発電設備水−水熱交換器の加熱ネットワーク水入口は、前記温水型吸収式ヒートポンプの前記加熱ネットワーク戻り水出口に接続されており、前記発電設備水−水熱交換器の加熱ネットワーク水出口は、前記排蒸気の廃熱を回収するための蒸気型吸収式ヒートポンプの加熱ネットワーク水入口に接続されており；前記排蒸気の廃熱を回収するための蒸気型吸収式ヒートポンプの加熱ネットワーク水出口は、前記煙道ガスの廃熱を回収するための蒸気型吸収式ヒートポンプの加熱ネットワーク水入口に接続されており；前記排蒸気の廃熱を回収するための蒸気型吸収式ヒートポンプの中間冷却循環水出口及び中間冷却循環水入口は、それぞれ、前記凝縮器の中間冷却循環水入口及び中間冷却循環水出口に接続されており；前記煙道ガスの廃熱を回収するための蒸気型吸収式ヒートポンプの加熱ネットワーク水出口は、前記蒸気−水熱交換器の加熱ネットワーク水入口に接続されており；前記蒸気−水熱交換器の加熱ネットワーク水出口は、前記温水型吸収式ヒートポンプの前記加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記発電設備水−水熱交換器の中間媒体水出口及び中間媒体水入口は、それぞれ、前記直接接触型煙道ガス凝縮熱交換器の前記第２の中間媒体水入口及び前記第２の中間媒体水出口に接続されており；前記煙道ガスの廃熱を回収するための蒸気型吸収式ヒートポンプのドレン水出口、前記蒸気−水熱交換器のドレン水出口、前記凝縮器のドレン水出口、及び前記排蒸気の廃熱を回収するための蒸気型吸収式ヒートポンプのドレン水出口は、前記廃熱ボイラの前記ドレン水入口に接続されており；前記煙道ガスの廃熱を回収するための蒸気型吸収式ヒートポンプの抽出蒸気入口、前記蒸気−水熱交換器の抽出蒸気入口、及び前記排蒸気の廃熱を回収するための蒸気型吸収式ヒートポンプの抽出蒸気入口は、前記蒸気タービンの前記抽出蒸気出口に接続されており；前記凝縮器の排蒸気入口は、前記蒸気タービンの排蒸気出口に接続されている。
【００１３】
前記加熱ネットワーク戻り水加熱システムは、煙道ガスの廃熱を回収するための蒸気型吸収式ヒートポンプと、蒸気−水熱交換器と、発電設備水−水熱交換器と、凝縮器と、排蒸気の廃熱を回収するための蒸気型吸収式ヒートポンプとを含み；前記凝縮器の加熱ネットワーク水入口は、前記温水型吸収式ヒートポンプの前記加熱ネットワーク戻り水出口に接続されており；前記凝縮器の加熱ネットワーク水出口は、前記発電設備水−水熱交換器の加熱ネットワーク水入口に接続されており；前記発電設備水−水熱交換器の加熱ネットワーク水出口は、前記煙道ガスの廃熱を回収するための蒸気型吸収式ヒートポンプの加熱ネットワーク水入口に接続されており；前記煙道ガスの廃熱を回収するための蒸気型吸収式ヒートポンプの加熱ネットワーク水出口は、前記排蒸気の廃熱を回収するための蒸気型吸収式ヒートポンプの加熱ネットワーク水入口に接続されており；前記排蒸気の廃熱を回収するための蒸気型吸収式ヒートポンプの加熱ネットワーク水出口は、前記蒸気−水熱交換器の加熱ネットワーク水入口に接続されており、前記排蒸気の廃熱を回収するための蒸気型吸収式ヒートポンプの中間冷却循環水出口及び中間冷却循環水入口は、それぞれ、前記凝縮器の中間冷却循環水入口及び中間冷却循環水出口に接続されており；前記蒸気−水熱交換器の加熱ネットワーク水出口は、前記温水型吸収式ヒートポンプの加熱ネットワーク供給水入口に接続されており；前記煙道ガスの廃熱を回収するための蒸気型吸収式ヒートポンプのドレン水出口、前記蒸気−水熱交換器のドレン水出口、前記凝縮器のドレン水出口、及び前記排蒸気の廃熱を回収するための蒸気型吸収式ヒートポンプのドレン水出口は、前記廃熱ボイラの前記ドレン水入口に接続されており；前記煙道ガスの廃熱を回収するための蒸気型吸収式ヒートポンプの抽出蒸気入口、前記蒸気−水熱交換器の抽出蒸気入口、及び前記排蒸気の廃熱を回収するための蒸気型吸収式ヒートポンプの抽出蒸気入口は、前記蒸気タービンの前記抽出蒸気出口に接続されており；前記凝縮器の排蒸気入口は、前記蒸気タービンの排蒸気出口に接続されている。
【００１４】
前記ガス−蒸気コンバインドサイクル集中熱供給装置の熱供給方法は、１）ガス−蒸気コンバインドサイクルシステムにおいて、天然ガス及び空気が混合されガスタービンの燃焼チャンバー内で燃焼されて高温の煙道ガスを生成し、該高温の煙道ガスが前記ガスタービンの燃焼タービン内に流れ込み、膨張して仕事を行い、発電機を駆動させて電力を発生させ；仕事を行った後、前記煙道ガスは、前記廃熱ボイラに入り前記廃熱ボイラ内のボイラ供給水を加熱して前記廃熱ボイラ内に高温蒸気を生成し；前記廃熱ボイラから排出される前記煙道ガスが、前記直接接触型煙道ガス凝縮熱交換器に入り、冷却され、次いで大気中に排出され、前記廃熱ボイラ内で生成した前記高温蒸気が、前記蒸気タービンに入り仕事を行い、電力を発生させ、前記蒸気タービンから抽出蒸気が抽出され、抽出された前記抽出蒸気が前記加熱ネットワーク戻り水加熱システムに入る工程と；２）前記サーマルステーションに入るユーザ戻り水が、加熱ネットワーク低温戻り水として利用されて前記サーマルステーションから排出され、前記加熱ネットワーク戻り水加熱システムに入り、前記加熱ネットワーク戻り水加熱システムにおいて加熱され、加熱された前記加熱ネットワーク低温戻り水が、加熱ネットワーク高温供給水として利用されて前記サーマルステーションに戻され、ここで、前記加熱ネットワーク戻り水加熱システムにおいて生成した中間媒体水が、前記直接接触型煙道ガス凝縮熱交換器に入り、前記直接接触型煙道ガス凝縮熱交換器において前記煙道ガスにより加熱され、加熱された前記中間媒体水が前記加熱ネットワーク戻り水加熱システムに戻され；前記加熱ネットワーク戻り水加熱システムにおいて生成した前記抽出蒸気の復水が前記蒸気ボイラに戻される工程と；３）前記サーマルステーションに戻された前記加熱ネットワーク高温供給水がまず駆動熱源として利用されて温水型吸収式ヒートポンプに入り、前記温水型吸収式ヒートポンプ内で熱を放出して冷却され、次いで前記サーマルステーション内の水−水熱交換器に入りユーザ供給水を加熱し、前記サーマルステーション内の前記水−水熱交換器内で冷却され、次いで再び低温熱源として前記温水型吸収式ヒートポンプに入り、最終的に、熱を放射して前記加熱ネットワーク低温戻り水の当初の温度まで冷却され、再び前記加熱ネットワーク低温戻り水として利用されて前記サーマルステーションから前記加熱ネットワーク戻り水加熱システムに入る工程とを含むことを特徴とする。
【００１５】
上記の技術的解決法を採用することにより、本発明は以下の利点を有する。１）直接接触型煙道ガス凝縮熱交換器、煙道ガスの廃熱を回収するための蒸気型吸収式ヒートポンプ、排蒸気の廃熱を回収するための蒸気型吸収式ヒートポンプ、及び凝縮器等の装置が本発明により採用されるため、煙道ガスの凝縮及び蒸発潜熱、及び排蒸気の廃熱を有効に回収することができ、排出煙道ガスの温度が低下し、環境汚染が低減され；２）発電設備において加熱ネットワーク低温戻り水を加熱するために、水−水熱交換器、及び蒸気−水熱交換器等が本発明により採用されるため、加熱時に、中間媒体水及び抽出蒸気の復水を循環的に利用することにより、廃熱ボイラの煙道ガス凝縮廃熱及び凝縮器の排蒸気の廃熱が完全に回収され、エネルギーの無駄がより低減され；３）温水型吸収式ヒートポンプと水−水熱交換器との組合せがサーマルステーションにおいて本発明により採用されるため、加熱ネットワーク高温供給水の熱が効果的に利用され、ユーザ供給水が同時に加熱され、エネルギーのカスケード利用が実現され、エネルギーの有効利用率が総合的に改善される。要約すると、本発明は、発電設備の廃熱回収産業、及び総合的なエネルギー利用効率の改善に広く適用することができる。
【図面の簡単な説明】
【００１６】
【図１】図１は、本発明の第１のガス−蒸気コンバインドサイクル集中熱供給装置の全体回路図を示す。
【図２】図２は、本発明の第２のガス−蒸気コンバインドサイクル集中熱供給装置の全体回路図を示す。
【図３】図３は、本発明の第３のガス−蒸気コンバインドサイクル集中熱供給装置の全体回路図を示す。
【図４】図４は、本発明の第４のガス−蒸気コンバインドサイクル集中熱供給装置の全体回路図を示す。
【図５】図５は、本発明の第５のガス−蒸気コンバインドサイクル集中熱供給装置の全体回路図を示す。
【図６】図６は、本発明の第６のガス−蒸気コンバインドサイクル集中熱供給装置の全体回路図を示す。
【図７】図７は、本発明の第７のガス−蒸気コンバインドサイクル集中熱供給装置の全体回路図を示す。
【図８】図８は、本発明の第８のガス−蒸気コンバインドサイクル集中熱供給装置の全体回路図を示す。
【発明を実施するための形態】
【００１７】
図面及び実施例と組み合わせて、本発明を以下詳細に説明する。
【００１８】
図１に示すように、本発明は、ガス−蒸気コンバインドサイクルシステム、サーマルステーション、及び加熱ネットワーク戻り水加熱システムを含むガス−蒸気コンバインドサイクル集中熱供給装置を提供し；ガス−蒸気コンバインドサイクルシステムは、加熱ネットワーク戻り水加熱システムを介してサーマルステーションに接続されている。
【００１９】
ガス−蒸気コンバインドサイクルシステムは、ガスタービン１と、廃熱ボイラ２と、直接接触型煙道ガス凝縮熱交換器３と、蒸気タービン４とを含む。ガスタービン１の排気口は、廃熱ボイラ２の煙道ガス入口に接続されている。廃熱ボイラ２の煙道ガス出口は、直接接触型煙道ガス凝縮熱交換器３の煙道ガス入口に接続されており、廃熱ボイラ２の蒸気出口は、蒸気タービン４の抽出蒸気入口に接続されており、廃熱ボイラ２のドレン水入口は、加熱ネットワーク戻り水加熱システムに接続されている。直接接触型煙道ガス凝縮熱交換器３の第１の中間媒体水入口、第１の中間媒体水出口、第２の中間媒体水入口、及び第２の中間媒体水出口は、加熱ネットワーク戻り水加熱システムに接続されており；蒸気タービン４の抽出蒸気出口は、加熱ネットワーク戻り水加熱システムに接続されている。
【００２０】
サーマルステーションは、温水型吸収式ヒートポンプ５と、水−水熱交換器６とを含む。温水型吸収式ヒートポンプ５の加熱ネットワーク戻り水出口及び加熱ネットワーク供給水入口は、加熱ネットワーク戻り水加熱システムに接続されており、温水型吸収式ヒートポンプ５の加熱ネットワーク供給水出口は、水−水熱交換器６の加熱ネットワーク供給水入口に接続されており、温水型吸収式ヒートポンプ５の加熱ネットワーク戻り水入口は、水−水熱交換器６の加熱ネットワーク供給水出口に接続されている。
【００２１】
図１に示すように、本発明の加熱ネットワーク戻り水加熱システムは、煙道ガスの廃熱を回収するための蒸気型吸収式ヒートポンプ７と、蒸気−水熱交換器８とを含む。煙道ガスの廃熱を回収するための蒸気型吸収式ヒートポンプ７の加熱ネットワーク水入口は、温水型吸収式ヒートポンプ５の加熱ネットワーク戻り水出口に接続されており、煙道ガスの廃熱を回収するための蒸気型吸収式ヒートポンプ７の加熱ネットワーク水出口は、蒸気−水熱交換器８の加熱ネットワーク水入口に接続されており、蒸気−水熱交換器８の加熱ネットワーク水出口は、温水型吸収式ヒートポンプ５の加熱ネットワーク供給水入口に接続されている。煙道ガスの廃熱を回収するための蒸気型吸収式ヒートポンプ７の中間媒体水出口及び中間媒体水入口は、それぞれ、直接接触型煙道ガス凝縮熱交換器３の第１の中間媒体水入口及び第１の中間媒体水出口に接続されており、煙道ガスの廃熱を回収するための蒸気型吸収式ヒートポンプ７のドレン水出口、及び蒸気−水熱交換器８のドレン水出口は、廃熱ボイラ２のドレン水入口に接続されており、煙道ガスの廃熱を回収するための蒸気型吸収式ヒートポンプ７の抽出蒸気入口、及び蒸気−水熱交換器８の抽出蒸気入口は、蒸気タービン４の抽出蒸気出口に接続されている。
【００２２】
好ましい一実施形態では、図２に示すように、加熱ネットワーク戻り水加熱システムは、煙道ガスの廃熱を回収するための蒸気型吸収式ヒートポンプ７と、蒸気−水熱交換器８と、発電設備水−水熱交換器９とを含む。発電設備水−水熱交換器９の加熱ネットワーク水入口は、温水型吸収式ヒートポンプ５の加熱ネットワーク戻り水出口に接続されており、発電設備水−水熱交換器９の加熱ネットワーク水出口は、煙道ガスの廃熱を回収するための蒸気型吸収式ヒートポンプ７の加熱ネットワーク水入口に接続されている。煙道ガスの廃熱を回収するための蒸気型吸収式ヒートポンプ７の加熱ネットワーク水出口は、蒸気−水熱交換器８の加熱ネットワーク水入口に接続されており、蒸気−水熱交換器８の加熱ネットワーク水出口は、温水型吸収式ヒートポンプ５の加熱ネットワーク供給水入口に接続されている。煙道ガスの廃熱を回収するための蒸気型吸収式ヒートポンプ７の中間媒体水出口及び中間媒体水入口は、それぞれ、直接接触型煙道ガス凝縮熱交換器３の第１の中間媒体水入口及び第１の中間媒体水出口に接続されており；発電設備水−水熱交換器９の中間媒体水出口及び中間媒体水入口は、それぞれ、直接接触型煙道ガス凝縮熱交換器３の第２の中間媒体水入口及び第２の中間媒体水出口に接続されており；煙道ガスの廃熱を回収するための蒸気型吸収式ヒートポンプ７のドレン水出口、及び蒸気−水熱交換器８のドレン水出口は、廃熱ボイラ２のドレン水入口に接続されており、煙道ガスの廃熱を回収するための蒸気型吸収式ヒートポンプ７の抽出蒸気入口、及び蒸気−水熱交換器８の抽出蒸気入口は、蒸気タービン４の抽出蒸気出口に接続されている。
【００２３】
好ましい一実施形態では、図３に示すように、加熱ネットワーク戻り水加熱システムは、煙道ガスの廃熱を回収するための蒸気型吸収式ヒートポンプ７と、蒸気−水熱交換器８と、発電設備水−水熱交換器９と、凝縮器１０とを含む。発電設備水−水熱交換器９の加熱ネットワーク水入口は、温水型吸収式ヒートポンプ５の加熱ネットワーク戻り水出口に接続されており、発電設備水−水熱交換器９の加熱ネットワーク水出口は、凝縮器１０の加熱ネットワーク水入口に接続されている。凝縮器１０の加熱ネットワーク水出口は、煙道ガスの廃熱を回収するための蒸気型吸収式ヒートポンプ７の加熱ネットワーク水入口に接続されており；煙道ガスの廃熱を回収するための蒸気型吸収式ヒートポンプ７の加熱ネットワーク水出口は、蒸気−水熱交換器８の加熱ネットワーク水入口に接続されており；蒸気−水熱交換器８の加熱ネットワーク水出口は、サーマルステーション内の温水型吸収式ヒートポンプ５の加熱ネットワーク供給水入口に接続されている。煙道ガスの廃熱を回収するための蒸気型吸収式ヒートポンプ７の中間媒体水出口及び中間媒体水入口は、それぞれ、直接接触型煙道ガス凝縮熱交換器３の第１の中間媒体水入口及び第１の中間媒体水出口に接続されており；発電設備水−水熱交換器９の中間媒体水出口及び中間媒体水入口は、それぞれ、直接接触型煙道ガス凝縮熱交換器３の第２の中間媒体水入口及び前記第２の中間媒体水出口に接続されており；煙道ガスの廃熱を回収するための蒸気型吸収式ヒートポンプ７のドレン水出口、蒸気−水熱交換器８のドレン水出口、及び凝縮器１０のドレン水出口は、廃熱ボイラ２のドレン水入口に接続されており；煙道ガスの廃熱を回収するための蒸気型吸収式ヒートポンプ７の抽出蒸気入口、及び蒸気−水熱交換器８の抽出蒸気入口は、蒸気タービン４の抽出蒸気出口に接続されており；凝縮器１０の排蒸気入口は、蒸気タービン４の排蒸気出口に接続されている。
【００２４】
好ましい一実施形態では、図４に示すように、加熱ネットワーク戻り水加熱システムは、煙道ガスの廃熱を回収するための蒸気型吸収式ヒートポンプ７と、蒸気−水熱交換器８と、発電設備水−水熱交換器９と、凝縮器１０とを含む。凝縮器１０の加熱ネットワーク水入口は、温水型吸収式ヒートポンプ５の加熱ネットワーク戻り水出口に接続されており、凝縮器１０の加熱ネットワーク水出口は、発電設備水−水熱交換器９の加熱ネットワーク水入口に接続されており、発電設備水−水熱交換器９の加熱ネットワーク水出口は、煙道ガスの廃熱を回収するための蒸気型吸収式ヒートポンプ７の加熱ネットワーク水入口に接続されており；煙道ガスの廃熱を回収するための蒸気型吸収式ヒートポンプ７の加熱ネットワーク水出口は、蒸気−水熱交換器９の加熱ネットワーク水入口に接続されており、蒸気−水熱交換器８の加熱ネットワーク水出口は、温水型吸収式ヒートポンプ５の加熱ネットワーク供給水入口に接続されている。煙道ガスの廃熱を回収するための蒸気型吸収式ヒートポンプ７の中間媒体水出口及び中間媒体水入口は、それぞれ、直接接触型煙道ガス凝縮熱交換器３の第１の中間媒体水入口及び第１の中間媒体水出口に接続されており；発電設備水−水熱交換器９の中間媒体水出口及び中間媒体水入口は、それぞれ、直接接触型煙道ガス凝縮熱交換器３の第２の中間媒体水入口及び第２の中間媒体水出口に接続されており；煙道ガスの廃熱を回収するための蒸気型吸収式ヒートポンプ７のドレン水出口、蒸気−水熱交換器８のドレン水出口、及び凝縮器１０のドレン水出口は、廃熱ボイラ２のドレン水入口に接続されており、煙道ガスの廃熱を回収するための蒸気型吸収式ヒートポンプ７の抽出蒸気入口、及び蒸気−水熱交換器８の抽出蒸気入口は、蒸気タービン４の抽出蒸気出口に接続されており；凝縮器１０の排蒸気入口は、蒸気タービン４の排蒸気出口に接続されている。
【００２５】
好ましい一実施形態では、図５に示すように、加熱ネットワーク戻り水加熱システムは、煙道ガスの廃熱を回収するための蒸気型吸収式ヒートポンプ７と、蒸気−水熱交換器８と、発電設備水−水熱交換器９と、凝縮器１０とを含む。発電設備水−水熱交換器９の加熱ネットワーク水入口、及び凝縮器１０の加熱ネットワーク水入口は、温水型吸収式ヒートポンプ５の加熱ネットワーク戻り水出口に接続されており；発電設備水−水熱交換器９の加熱ネットワーク水出口、及び凝縮器１０の加熱ネットワーク水出口は、煙道ガスの廃熱を回収するための蒸気型吸収式ヒートポンプ７の加熱ネットワーク水入口に接続されており、煙道ガスの廃熱を回収するための蒸気型吸収式ヒートポンプ７の加熱ネットワーク水出口は、蒸気−水熱交換器８の加熱ネットワーク水入口に接続されており；蒸気−水熱交換器８の加熱ネットワーク水出口は、温水型吸収式ヒートポンプ５の加熱ネットワーク供給水入口に接続されている。煙道ガスの廃熱を回収するための蒸気型吸収式ヒートポンプ７の中間媒体水出口及び中間媒体水入口は、それぞれ、直接接触型煙道ガス凝縮熱交換器３の第１の中間媒体水入口及び第１の中間媒体水出口に接続されており；発電設備水−水熱交換器９の中間媒体水出口及び中間媒体水入口は、それぞれ、直接接触型煙道ガス凝縮熱交換器３の第２の中間媒体水入口及び第２の中間媒体水出口に接続されており；煙道ガスの廃熱を回収するための蒸気型吸収式ヒートポンプ７のドレン水出口、蒸気−水熱交換器８のドレン水出口、及び凝縮器１０のドレン水出口は、廃熱ボイラ２のドレン水入口に接続されており；煙道ガスの廃熱を回収するための蒸気型吸収式ヒートポンプ７の抽出蒸気入口、及び蒸気−水熱交換器８の抽出蒸気入口は、蒸気タービン４の抽出蒸気出口に接続されており；凝縮器１０の排蒸気入口は、蒸気タービン４の排蒸気出口に接続されている。
【００２６】
好ましい一実施形態では、図６に示すように、加熱ネットワーク戻り水加熱システムは、煙道ガスの廃熱を回収するための蒸気型吸収式ヒートポンプ７と、蒸気−水熱交換器８と、凝縮器１０と、排蒸気の廃熱を回収するための蒸気型吸収式ヒートポンプ１１とを含む。排蒸気の廃熱を回収するための蒸気型吸収式ヒートポンプ１１の加熱ネットワーク水入口は、温水型吸収式ヒートポンプ５の加熱ネットワーク戻り水出口に接続されており、排蒸気の廃熱を回収するための蒸気型吸収式ヒートポンプ１１の加熱ネットワーク水出口は、煙道ガスの廃熱を回収するための蒸気型吸収式ヒートポンプ７の加熱ネットワーク水入口に接続されており；排蒸気の廃熱を回収するための蒸気型吸収式ヒートポンプ１１の中間冷却循環水出口及び中間冷却循環水入口は、それぞれ、凝縮器１０の中間冷却循環水入口及び中間冷却循環水出口に接続されている。煙道ガスの廃熱を回収するための蒸気型吸収式ヒートポンプ７の加熱ネットワーク水出口は、蒸気−水熱交換器８の加熱ネットワーク水入口に接続されており；蒸気−水熱交換器８の加熱ネットワーク水出口は、温水型吸収式ヒートポンプ５の加熱ネットワーク供給水入口に接続されている。煙道ガスの廃熱を回収するための蒸気型吸収式ヒートポンプ７の中間媒体水出口及び中間媒体水入口は、それぞれ、直接接触型煙道ガス凝縮熱交換器３の第１の中間媒体水入口及び第１の中間媒体水出口に接続されており；煙道ガスの廃熱を回収するための蒸気型吸収式ヒートポンプ７のドレン水出口、蒸気−水熱交換器８のドレン水出口、凝縮器１０のドレン水出口、及び排蒸気の廃熱を回収するための蒸気型吸収式ヒートポンプ１１のドレン水出口は、廃熱ボイラ２のドレン水入口に接続されており；煙道ガスの廃熱を回収するための蒸気型吸収式ヒートポンプ７の抽出蒸気入口、蒸気−水熱交換器８の抽出蒸気入口、及び排蒸気の廃熱を回収するための蒸気型吸収式ヒートポンプ１１の抽出蒸気入口は、蒸気タービン４の抽出蒸気出口に接続されており；凝縮器１０の排蒸気入口は、蒸気タービン４の排蒸気出口に接続されている。
【００２７】
好ましい一実施形態では、図７に示すように、加熱ネットワーク戻り水加熱システムは、煙道ガスの廃熱を回収するための蒸気型吸収式ヒートポンプ７と、蒸気−水熱交換器８と、発電設備水−水熱交換器９と、凝縮器１０と、排蒸気の廃熱を回収するための蒸気型吸収式ヒートポンプ１１とを含む。発電設備水−水熱交換器９の加熱ネットワーク水入口は、温水型吸収式ヒートポンプ５の加熱ネットワーク戻り水出口に接続されており、発電設備水−水熱交換器９の加熱ネットワーク水出口は、排蒸気の廃熱を回収するための蒸気型吸収式ヒートポンプ１１の加熱ネットワーク水入口に接続されており；排蒸気の廃熱を回収するための蒸気型吸収式ヒートポンプ１１の加熱ネットワーク水出口は、煙道ガスの廃熱を回収するための蒸気型吸収式ヒートポンプ７の加熱ネットワーク水入口に接続されており；排蒸気の廃熱を回収するための蒸気型吸収式ヒートポンプ１１の中間冷却循環水出口及び中間冷却循環水入口は、それぞれ、凝縮器１０の中間冷却循環水入口及び中間冷却循環水出口に接続されている。煙道ガスの廃熱を回収するための蒸気型吸収式ヒートポンプ７の加熱ネットワーク水出口は、蒸気−水熱交換器８の加熱ネットワーク水入口に接続されており；蒸気−水熱交換器８の加熱ネットワーク水出口は、温水型吸収式ヒートポンプ５の加熱ネットワーク供給水入口に接続されている。煙道ガスの廃熱を回収するための蒸気型吸収式ヒートポンプ７の中間媒体水出口及び中間媒体水入口は、それぞれ、直接接触型煙道ガス凝縮熱交換器３の第１の中間媒体水入口及び第１の中間媒体水出口に接続されており；発電設備水−水熱交換器９の中間媒体水出口及び中間媒体水入口は、それぞれ、直接接触型煙道ガス凝縮熱交換器３の第２の中間媒体水入口及び第２の中間媒体水出口に接続されており；煙道ガスの廃熱を回収するための蒸気型吸収式ヒートポンプ７のドレン水出口、蒸気−水熱交換器８のドレン水出口、凝縮器１０のドレン水出口、及び排蒸気の廃熱を回収するための蒸気型吸収式ヒートポンプ１１のドレン水出口は、廃熱ボイラ２のドレン水入口に接続されており；煙道ガスの廃熱を回収するための蒸気型吸収式ヒートポンプ７の抽出蒸気入口、蒸気−水熱交換器８の抽出蒸気入口、及び排蒸気の廃熱を回収するための蒸気型吸収式ヒートポンプ１１の抽出蒸気入口は、蒸気タービン４の抽出蒸気出口に接続されており；凝縮器１０の排蒸気入口は、蒸気タービン４の排蒸気出口に接続されている。
【００２８】
好ましい一実施形態では、図８に示すように、加熱ネットワーク戻り水加熱システムは、煙道ガスの廃熱を回収するための蒸気型吸収式ヒートポンプ７と、蒸気−水熱交換器８と、発電設備水−水熱交換器９と、凝縮器１０と、排蒸気の廃熱を回収するための蒸気型吸収式ヒートポンプ１１とを含む。凝縮器１０の加熱ネットワーク水入口は、温水型吸収式ヒートポンプ５の加熱ネットワーク戻り水出口に接続されており；凝縮器１０の加熱ネットワーク水出口は、発電設備水−水熱交換器９の加熱ネットワーク水入口に接続されており；発電設備水−水熱交換器９の加熱ネットワーク水出口は、煙道ガスの廃熱を回収するための蒸気型吸収式ヒートポンプ７の加熱ネットワーク水入口に接続されており；煙道ガスの廃熱を回収するための蒸気型吸収式ヒートポンプ７の加熱ネットワーク水出口は、排蒸気の廃熱を回収するための蒸気型吸収式ヒートポンプ１１の加熱ネットワーク水入口に接続されており；排蒸気の廃熱を回収するための蒸気型吸収式ヒートポンプ１１の加熱ネットワーク水出口は、蒸気−水熱交換器８の加熱ネットワーク水入口に接続されており、排蒸気の廃熱を回収するための蒸気型吸収式ヒートポンプ１１の中間冷却循環水出口及び中間冷却循環水入口は、それぞれ、凝縮器１０の中間冷却循環水入口及び中間冷却循環水出口に接続されており；蒸気−水熱交換器８の加熱ネットワーク水出口は、温水型吸収式ヒートポンプ５の加熱ネットワーク供給水入口に接続されている。煙道ガスの廃熱を回収するための蒸気型吸収式ヒートポンプ７のドレン水出口、蒸気−水熱交換器８のドレン水出口、凝縮器１０のドレン水出口、及び排蒸気の廃熱を回収するための蒸気型吸収式ヒートポンプ１１のドレン水出口は、廃熱ボイラ２のドレン水入口に接続されており；煙道ガスの廃熱を回収するための蒸気型吸収式ヒートポンプ７の抽出蒸気入口、蒸気−水熱交換器８の抽出蒸気入口、及び排蒸気の廃熱を回収するための蒸気型吸収式ヒートポンプ１１の抽出蒸気入口は、蒸気タービン４の抽出蒸気出口に接続されており；凝縮器１０の排蒸気入口は、蒸気タービン４の排蒸気出口に接続されている。
【００２９】
好ましい一実施形態では、水ポンプ１２は、サーマルステーションと加熱ネットワーク戻り水加熱システムとの間に配置され、サーマルステーション内の加熱ネットワーク低温戻り水を加熱ネットワーク戻り水加熱システムへ送達するために使用される。
【００３０】
上記実施形態で提供されたガス−蒸気コンバインドサイクル集中熱供給装置に基づき、本発明は、以下の工程を含むガス−蒸気コンバインドサイクル集中熱供給方法を提供する。
１）ガス−蒸気コンバインドサイクルシステムにおいて、天然ガス及び空気が混合されガスタービン１の燃焼チャンバー内で燃焼されて高温の煙道ガスを生成し、該高温の煙道ガスがガスタービン１の燃焼タービン内に流れ込み、膨張して仕事を行い、発電機を駆動させて電力を発生させ；仕事を行った後、煙道ガスは、廃熱ボイラ２に入り廃熱ボイラ２内のボイラ供給水を加熱して廃熱ボイラ２内に高温蒸気を生成し；廃熱ボイラ２から排出される煙道ガスが、直接接触型煙道ガス凝縮熱交換器３に入り、冷却され、次いで大気中に排出され、廃熱ボイラ２内で生成した高温蒸気が、蒸気タービン４に入り仕事を行い、電力を発生させ、蒸気タービン４から抽出蒸気が抽出され、抽出された抽出蒸気が加熱ネットワーク戻り水加熱システムに入る。
２）サーマルステーションから排出される加熱ネットワーク低温戻り水が、加熱ネットワーク戻り水加熱システムに入り、加熱ネットワーク戻り水加熱システムにおいて加熱され、加熱された加熱ネットワーク低温戻り水が、加熱ネットワーク高温供給水として利用されてサーマルステーションに戻され、ここで、加熱ネットワーク戻り水加熱システムにおいて生成した中間媒体水が、直接接触型煙道ガス凝縮熱交換器３に入り、直接接触型煙道ガス凝縮熱交換器３において煙道ガスにより加熱され、加熱された中間媒体水が加熱ネットワーク戻り水加熱システムに戻され；加熱ネットワーク戻り水加熱システムにおいて生成した抽出蒸気の復水が蒸気ボイラ２に戻される。
３）サーマルステーションに戻された加熱ネットワーク高温供給水がまず駆動熱源として利用されて温水型吸収式ヒートポンプ５に入り、温水型吸収式ヒートポンプ５内で熱を放出して冷却され、次いでサーマルステーション内の水−水熱交換器６に入りユーザ供給水を加熱し、サーマルステーション内の水−水熱交換器６内で冷却され、次いで再び低温熱源として温水型吸収式ヒートポンプ５に入り、最終的に、熱を放射して加熱ネットワーク低温戻り水の設計温度まで冷却され、加熱ネットワーク低温戻り水として利用されてサーマルステーションから加熱ネットワーク戻り水加熱システムに入る。
【００３１】
上記実施形態は、単に本発明を説明する目的で用いるものである。本明細書中の構成要素の構造、接続様式、及び製造工程等は可変である。本発明の技術的解決法に基づき行われる均等の変形及び改良は、本発明の保護範囲から排除するものではない。
【図１】
2017510742.tif 000003
【図２】
2017510742.tif 000004
【図３】
2017510742.tif 000005
【図４】
2017510742.tif 000006
【図５】
2017510742.tif 000007
【図６】
2017510742.tif 000008
【図７】
2017510742.tif 000009
【図８】
2017510742.tif 000010
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
ガス−蒸気コンバインドサイクルシステムと、加熱ネットワーク戻り水加熱システムと、サーマルステーションとを含み、前記ガス−蒸気コンバインドサイクルシステムは、前記加熱ネットワーク戻り水加熱システムを介して前記サーマルステーションに接続されており；
前記ガス−蒸気コンバインドサイクルシステムは、ガスタービンと、廃熱ボイラと、直接接触型煙道ガス凝縮熱交換器と、蒸気タービンとを含み；前記ガスタービンの排気口は、前記廃熱ボイラの煙道ガス入口に接続されており；前記廃熱ボイラの煙道ガス出口は、前記直接接触型煙道ガス凝縮熱交換器の煙道ガス入口に接続されており、前記廃熱ボイラの蒸気出口は、前記蒸気タービンの抽出蒸気入口に接続されており、前記廃熱ボイラのドレン水入口は、前記加熱ネットワーク戻り水加熱システムに接続されており；前記直接接触型煙道ガス凝縮熱交換器の第１の中間媒体水入口、第１の中間媒体水出口、第２の中間媒体水入口、及び第２の中間媒体水出口は、前記加熱ネットワーク戻り水加熱システムに接続されており；前記蒸気タービンの抽出蒸気出口は、前記加熱ネットワーク戻り水加熱システムに接続されており；
前記サーマルステーションは、温水型吸収式ヒートポンプと、水−水熱交換器とを含み；前記温水型吸収式ヒートポンプの加熱ネットワーク戻り水出口及び加熱ネットワーク供給水入口は、前記加熱ネットワーク戻り水加熱システムに接続されており、前記温水型吸収式ヒートポンプの加熱ネットワーク供給水出口は、前記水−水熱交換器の加熱ネットワーク供給水入口に接続されており、前記温水型吸収式ヒートポンプの加熱ネットワーク戻り水入口は、前記水−水熱交換器の加熱ネットワーク供給水出口に接続されており；
前記加熱ネットワーク戻り水加熱システムは、煙道ガスの廃熱を回収するための蒸気型吸収式ヒートポンプと、蒸気−水熱交換器と、発電設備水−水熱交換器とを含み；前記発電設備水−水熱交換器の加熱ネットワーク水入口は、前記温水型吸収式ヒートポンプの前記加熱ネットワーク戻り水出口に接続されており、前記発電設備水−水熱交換器の加熱ネットワーク水出口は、前記煙道ガスの廃熱を回収するための蒸気型吸収式ヒートポンプの加熱ネットワーク水入口に接続されており；前記煙道ガスの廃熱を回収するための蒸気型吸収式ヒートポンプの加熱ネットワーク水出口は、前記蒸気−水熱交換器の加熱ネットワーク水入口に接続されており、前記蒸気−水熱交換器の加熱ネットワーク水出口は、前記温水型吸収式ヒートポンプの前記加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記発電設備水−水熱交換器の中間媒体水出口及び中間媒体水入口は、それぞれ、前記直接接触型煙道ガス凝縮熱交換器の前記第２の中間媒体水入口及び前記第２の中間媒体水出口に接続されており；前記煙道ガスの廃熱を回収するための蒸気型吸収式ヒートポンプのドレン水出口、及び前記蒸気−水熱交換器のドレン水出口は、前記廃熱ボイラの前記ドレン水入口に接続されており、前記煙道ガスの廃熱を回収するための蒸気型吸収式ヒートポンプの抽出蒸気入口、及び前記蒸気−水熱交換器の抽出蒸気入口は、前記蒸気タービンの前記抽出蒸気出口に接続されていることを特徴とするガス−蒸気コンバインドサイクル集中熱供給装置。
【請求項２】
ガス−蒸気コンバインドサイクルシステムと、加熱ネットワーク戻り水加熱システムと、サーマルステーションとを含み、前記ガス−蒸気コンバインドサイクルシステムは、前記加熱ネットワーク戻り水加熱システムを介して前記サーマルステーションに接続されており；
前記ガス−蒸気コンバインドサイクルシステムは、ガスタービンと、廃熱ボイラと、直接接触型煙道ガス凝縮熱交換器と、蒸気タービンとを含み；前記ガスタービンの排気口は、前記廃熱ボイラの煙道ガス入口に接続されており；前記廃熱ボイラの煙道ガス出口は、前記直接接触型煙道ガス凝縮熱交換器の煙道ガス入口に接続されており、前記廃熱ボイラの蒸気出口は、前記蒸気タービンの抽出蒸気入口に接続されており、前記廃熱ボイラのドレン水入口は、前記加熱ネットワーク戻り水加熱システムに接続されており；前記直接接触型煙道ガス凝縮熱交換器の第１の中間媒体水入口、第１の中間媒体水出口、第２の中間媒体水入口、及び第２の中間媒体水出口は、前記加熱ネットワーク戻り水加熱システムに接続されており；前記蒸気タービンの抽出蒸気出口は、前記加熱ネットワーク戻り水加熱システムに接続されており；
前記サーマルステーションは、温水型吸収式ヒートポンプと、水−水熱交換器とを含み；前記温水型吸収式ヒートポンプの加熱ネットワーク戻り水出口及び加熱ネットワーク供給水入口は、前記加熱ネットワーク戻り水加熱システムに接続されており、前記温水型吸収式ヒートポンプの加熱ネットワーク供給水出口は、前記水−水熱交換器の加熱ネットワーク供給水入口に接続されており、前記温水型吸収式ヒートポンプの加熱ネットワーク戻り水入口は、前記水−水熱交換器の加熱ネットワーク供給水出口に接続されており；
前記加熱ネットワーク戻り水加熱システムは、煙道ガスの廃熱を回収するための蒸気型吸収式ヒートポンプと、蒸気−水熱交換器と、発電設備水−水熱交換器と、凝縮器とを含み；前記発電設備水−水熱交換器の加熱ネットワーク水入口は、前記温水型吸収式ヒートポンプの前記加熱ネットワーク戻り水出口に接続されており、前記発電設備水−水熱交換器の加熱ネットワーク水出口は、前記凝縮器の加熱ネットワーク水入口に接続されており；前記凝縮器の加熱ネットワーク水出口は、前記煙道ガスの廃熱を回収するための蒸気型吸収式ヒートポンプの加熱ネットワーク水入口に接続されており；前記煙道ガスの廃熱を回収するための蒸気型吸収式ヒートポンプの加熱ネットワーク水出口は、前記蒸気−水熱交換器の加熱ネットワーク水入口に接続されており；前記蒸気−水熱交換器の加熱ネットワーク水出口は、前記サーマルステーション内の前記温水型吸収式ヒートポンプの前記加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記発電設備水−水熱交換器の中間媒体水出口及び中間媒体水入口は、それぞれ、前記直接接触型煙道ガス凝縮熱交換器の前記第２の中間媒体水入口及び前記第２の中間媒体水出口に接続されており；前記煙道ガスの廃熱を回収するための蒸気型吸収式ヒートポンプのドレン水出口、前記蒸気−水熱交換器のドレン水出口、及び前記凝縮器のドレン水出口は、前記廃熱ボイラの前記ドレン水入口に接続されており；前記煙道ガスの廃熱を回収するための蒸気型吸収式ヒートポンプの抽出蒸気入口、及び前記蒸気−水熱交換器の抽出蒸気入口は、前記蒸気タービンの前記抽出蒸気出口に接続されており；前記凝縮器の排蒸気入口は、前記蒸気タービンの排蒸気出口に接続されていることを特徴とするガス−蒸気コンバインドサイクル集中熱供給装置。
【請求項３】
ガス−蒸気コンバインドサイクルシステムと、加熱ネットワーク戻り水加熱システムと、サーマルステーションとを含み、前記ガス−蒸気コンバインドサイクルシステムは、前記加熱ネットワーク戻り水加熱システムを介して前記サーマルステーションに接続されており；
前記ガス−蒸気コンバインドサイクルシステムは、ガスタービンと、廃熱ボイラと、直接接触型煙道ガス凝縮熱交換器と、蒸気タービンとを含み；前記ガスタービンの排気口は、前記廃熱ボイラの煙道ガス入口に接続されており；前記廃熱ボイラの煙道ガス出口は、前記直接接触型煙道ガス凝縮熱交換器の煙道ガス入口に接続されており、前記廃熱ボイラの蒸気出口は、前記蒸気タービンの抽出蒸気入口に接続されており、前記廃熱ボイラのドレン水入口は、前記加熱ネットワーク戻り水加熱システムに接続されており；前記直接接触型煙道ガス凝縮熱交換器の第１の中間媒体水入口、第１の中間媒体水出口、第２の中間媒体水入口、及び第２の中間媒体水出口は、前記加熱ネットワーク戻り水加熱システムに接続されており；前記蒸気タービンの抽出蒸気出口は、前記加熱ネットワーク戻り水加熱システムに接続されており；
前記サーマルステーションは、温水型吸収式ヒートポンプと、水−水熱交換器とを含み；前記温水型吸収式ヒートポンプの加熱ネットワーク戻り水出口及び加熱ネットワーク供給水入口は、前記加熱ネットワーク戻り水加熱システムに接続されており、前記温水型吸収式ヒートポンプの加熱ネットワーク供給水出口は、前記水−水熱交換器の加熱ネットワーク供給水入口に接続されており、前記温水型吸収式ヒートポンプの加熱ネットワーク戻り水入口は、前記水−水熱交換器の加熱ネットワーク供給水出口に接続されており；
前記加熱ネットワーク戻り水加熱システムは、煙道ガスの廃熱を回収するための蒸気型吸収式ヒートポンプと、蒸気−水熱交換器と、発電設備水−水熱交換器と、凝縮器とを含み；前記凝縮器の加熱ネットワーク水入口は、前記温水型吸収式ヒートポンプの前記加熱ネットワーク戻り水出口に接続されており、前記凝縮器の加熱ネットワーク水出口は、前記発電設備水−水熱交換器の加熱ネットワーク水入口に接続されており、前記発電設備水−水熱交換器の加熱ネットワーク水出口は、前記煙道ガスの廃熱を回収するための蒸気型吸収式ヒートポンプの加熱ネットワーク水入口に接続されており；前記煙道ガスの廃熱を回収するための蒸気型吸収式ヒートポンプの加熱ネットワーク水出口は、前記蒸気−水熱交換器の加熱ネットワーク水入口に接続されており、前記蒸気−水熱交換器の加熱ネットワーク水出口は、前記温水型吸収式ヒートポンプの前記加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記発電設備水−水熱交換器の中間媒体水出口及び中間媒体水入口は、それぞれ、前記直接接触型煙道ガス凝縮熱交換器の前記第２の中間媒体水入口及び前記第２の中間媒体水出口に接続されており；前記煙道ガスの廃熱を回収するための蒸気型吸収式ヒートポンプのドレン水出口、前記蒸気−水熱交換器のドレン水出口、及び前記凝縮器のドレン水出口は、前記廃熱ボイラの前記ドレン水入口に接続されており、前記煙道ガスの廃熱を回収するための蒸気型吸収式ヒートポンプの抽出蒸気入口、及び前記蒸気−水熱交換器の抽出蒸気入口は、前記蒸気タービンの前記抽出蒸気出口に接続されており；前記凝縮器の排蒸気入口は、前記蒸気タービンの排蒸気出口に接続されていることを特徴とするガス−蒸気コンバインドサイクル集中熱供給装置。
【請求項４】
ガス−蒸気コンバインドサイクルシステムと、加熱ネットワーク戻り水加熱システムと、サーマルステーションとを含み、前記ガス−蒸気コンバインドサイクルシステムは、前記加熱ネットワーク戻り水加熱システムを介して前記サーマルステーションに接続されており；
前記ガス−蒸気コンバインドサイクルシステムは、ガスタービンと、廃熱ボイラと、直接接触型煙道ガス凝縮熱交換器と、蒸気タービンとを含み；前記ガスタービンの排気口は、前記廃熱ボイラの煙道ガス入口に接続されており；前記廃熱ボイラの煙道ガス出口は、前記直接接触型煙道ガス凝縮熱交換器の煙道ガス入口に接続されており、前記廃熱ボイラの蒸気出口は、前記蒸気タービンの抽出蒸気入口に接続されており、前記廃熱ボイラのドレン水入口は、前記加熱ネットワーク戻り水加熱システムに接続されており；前記直接接触型煙道ガス凝縮熱交換器の第１の中間媒体水入口、第１の中間媒体水出口、第２の中間媒体水入口、及び第２の中間媒体水出口は、前記加熱ネットワーク戻り水加熱システムに接続されており；前記蒸気タービンの抽出蒸気出口は、前記加熱ネットワーク戻り水加熱システムに接続されており；
前記サーマルステーションは、温水型吸収式ヒートポンプと、水−水熱交換器とを含み；前記温水型吸収式ヒートポンプの加熱ネットワーク戻り水出口及び加熱ネットワーク供給水入口は、前記加熱ネットワーク戻り水加熱システムに接続されており、前記温水型吸収式ヒートポンプの加熱ネットワーク供給水出口は、前記水−水熱交換器の加熱ネットワーク供給水入口に接続されており、前記温水型吸収式ヒートポンプの加熱ネットワーク戻り水入口は、前記水−水熱交換器の加熱ネットワーク供給水出口に接続されており；
前記加熱ネットワーク戻り水加熱システムは、煙道ガスの廃熱を回収するための蒸気型吸収式ヒートポンプと、蒸気−水熱交換器と、発電設備水−水熱交換器と、凝縮器とを含み；前記発電設備水−水熱交換器の加熱ネットワーク水入口、及び前記凝縮器の加熱ネットワーク水入口は、前記温水型吸収式ヒートポンプの前記加熱ネットワーク戻り水出口に接続されており；前記発電設備水−水熱交換器の加熱ネットワーク水出口、及び前記凝縮器の加熱ネットワーク水出口は、前記煙道ガスの廃熱を回収するための蒸気型吸収式ヒートポンプの加熱ネットワーク水入口に接続されており、前記煙道ガスの廃熱を回収するための蒸気型吸収式ヒートポンプの加熱ネットワーク水出口は、前記蒸気−水熱交換器の加熱ネットワーク水入口に接続されており；前記蒸気−水熱交換器の加熱ネットワーク水出口は、前記温水型吸収式ヒートポンプの前記加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記発電設備水−水熱交換器の中間媒体水出口及び中間媒体水入口は、それぞれ、前記直接接触型煙道ガス凝縮熱交換器の前記第２の中間媒体水入口及び前記第２の中間媒体水出口に接続されており；前記煙道ガスの廃熱を回収するための蒸気型吸収式ヒートポンプのドレン水出口、前記蒸気−水熱交換器のドレン水出口、及び前記凝縮器のドレン水出口は、前記廃熱ボイラの前記ドレン水入口に接続されており；前記煙道ガスの廃熱を回収するための蒸気型吸収式ヒートポンプの抽出蒸気入口、及び前記蒸気−水熱交換器の抽出蒸気入口は、前記蒸気タービンの前記抽出蒸気出口に接続されており；前記凝縮器の排蒸気入口は、前記蒸気タービンの排蒸気出口に接続されていることを特徴とするガス−蒸気コンバインドサイクル集中熱供給装置。
【請求項５】
ガス−蒸気コンバインドサイクルシステムと、加熱ネットワーク戻り水加熱システムと、サーマルステーションとを含み、前記ガス−蒸気コンバインドサイクルシステムは、前記加熱ネットワーク戻り水加熱システムを介して前記サーマルステーションに接続されており；
前記ガス−蒸気コンバインドサイクルシステムは、ガスタービンと、廃熱ボイラと、直接接触型煙道ガス凝縮熱交換器と、蒸気タービンとを含み；前記ガスタービンの排気口は、前記廃熱ボイラの煙道ガス入口に接続されており；前記廃熱ボイラの煙道ガス出口は、前記直接接触型煙道ガス凝縮熱交換器の煙道ガス入口に接続されており、前記廃熱ボイラの蒸気出口は、前記蒸気タービンの抽出蒸気入口に接続されており、前記廃熱ボイラのドレン水入口は、前記加熱ネットワーク戻り水加熱システムに接続されており；前記直接接触型煙道ガス凝縮熱交換器の第１の中間媒体水入口、第１の中間媒体水出口、第２の中間媒体水入口、及び第２の中間媒体水出口は、前記加熱ネットワーク戻り水加熱システムに接続されており；前記蒸気タービンの抽出蒸気出口は、前記加熱ネットワーク戻り水加熱システムに接続されており；
前記サーマルステーションは、温水型吸収式ヒートポンプと、水−水熱交換器とを含み；前記温水型吸収式ヒートポンプの加熱ネットワーク戻り水出口及び加熱ネットワーク供給水入口は、前記加熱ネットワーク戻り水加熱システムに接続されており、前記温水型吸収式ヒートポンプの加熱ネットワーク供給水出口は、前記水−水熱交換器の加熱ネットワーク供給水入口に接続されており、前記温水型吸収式ヒートポンプの加熱ネットワーク戻り水入口は、前記水−水熱交換器の加熱ネットワーク供給水出口に接続されており；
前記加熱ネットワーク戻り水加熱システムは、煙道ガスの廃熱を回収するための蒸気型吸収式ヒートポンプと、蒸気−水熱交換器と、凝縮器と、排蒸気の廃熱を回収するための蒸気型吸収式ヒートポンプとを含み；前記排蒸気の廃熱を回収するための蒸気型吸収式ヒートポンプの加熱ネットワーク水入口は、前記温水型吸収式ヒートポンプの前記加熱ネットワーク戻り水出口に接続されており、前記排蒸気の廃熱を回収するための蒸気型吸収式ヒートポンプの加熱ネットワーク水出口は、前記煙道ガスの廃熱を回収するための蒸気型吸収式ヒートポンプの加熱ネットワーク水入口に接続されており；前記排蒸気の廃熱を回収するための蒸気型吸収式ヒートポンプの中間冷却循環水出口及び中間冷却循環水入口は、それぞれ、前記凝縮器の中間冷却循環水入口及び中間冷却循環水出口に接続されており；前記煙道ガスの廃熱を回収するための蒸気型吸収式ヒートポンプの加熱ネットワーク水出口は、前記蒸気−水熱交換器の加熱ネットワーク水入口に接続されており；前記蒸気−水熱交換器の加熱ネットワーク水出口は、前記温水型吸収式ヒートポンプの加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記煙道ガスの廃熱を回収するための蒸気型吸収式ヒートポンプのドレン水出口、前記蒸気−水熱交換器のドレン水出口、前記凝縮器のドレン水出口、及び前記排蒸気の廃熱を回収するための蒸気型吸収式ヒートポンプのドレン水出口は、前記廃熱ボイラの前記ドレン水入口に接続されており；前記煙道ガスの廃熱を回収するための蒸気型吸収式ヒートポンプの抽出蒸気入口、前記蒸気−水熱交換器の抽出蒸気入口、及び前記排蒸気の廃熱を回収するための蒸気型吸収式ヒートポンプの抽出蒸気入口は、前記蒸気タービンの前記抽出蒸気出口に接続されており；前記凝縮器の排蒸気入口は、前記蒸気タービンの排蒸気出口に接続されていることを特徴とするガス−蒸気コンバインドサイクル集中熱供給装置。
【請求項６】
ガス−蒸気コンバインドサイクルシステムと、加熱ネットワーク戻り水加熱システムと、サーマルステーションとを含み、前記ガス−蒸気コンバインドサイクルシステムは、前記加熱ネットワーク戻り水加熱システムを介して前記サーマルステーションに接続されており；
前記ガス−蒸気コンバインドサイクルシステムは、ガスタービンと、廃熱ボイラと、直接接触型煙道ガス凝縮熱交換器と、蒸気タービンとを含み；前記ガスタービンの排気口は、前記廃熱ボイラの煙道ガス入口に接続されており；前記廃熱ボイラの煙道ガス出口は、前記直接接触型煙道ガス凝縮熱交換器の煙道ガス入口に接続されており、前記廃熱ボイラの蒸気出口は、前記蒸気タービンの抽出蒸気入口に接続されており、前記廃熱ボイラのドレン水入口は、前記加熱ネットワーク戻り水加熱システムに接続されており；前記直接接触型煙道ガス凝縮熱交換器の第１の中間媒体水入口、第１の中間媒体水出口、第２の中間媒体水入口、及び第２の中間媒体水出口は、前記加熱ネットワーク戻り水加熱システムに接続されており；前記蒸気タービンの抽出蒸気出口は、前記加熱ネットワーク戻り水加熱システムに接続されており；
前記サーマルステーションは、温水型吸収式ヒートポンプと、水−水熱交換器とを含み；前記温水型吸収式ヒートポンプの加熱ネットワーク戻り水出口及び加熱ネットワーク供給水入口は、前記加熱ネットワーク戻り水加熱システムに接続されており、前記温水型吸収式ヒートポンプの加熱ネットワーク供給水出口は、前記水−水熱交換器の加熱ネットワーク供給水入口に接続されており、前記温水型吸収式ヒートポンプの加熱ネットワーク戻り水入口は、前記水−水熱交換器の加熱ネットワーク供給水出口に接続されており；
前記加熱ネットワーク戻り水加熱システムは、煙道ガスの廃熱を回収するための蒸気型吸収式ヒートポンプと、蒸気−水熱交換器と、発電設備水−水熱交換器と、凝縮器と、排蒸気の廃熱を回収するための蒸気型吸収式ヒートポンプとを含み；前記発電設備水−水熱交換器の加熱ネットワーク水入口は、前記温水型吸収式ヒートポンプの前記加熱ネットワーク戻り水出口に接続されており、前記発電設備水−水熱交換器の加熱ネットワーク水出口は、前記排蒸気の廃熱を回収するための蒸気型吸収式ヒートポンプの加熱ネットワーク水入口に接続されており；前記排蒸気の廃熱を回収するための蒸気型吸収式ヒートポンプの加熱ネットワーク水出口は、前記煙道ガスの廃熱を回収するための蒸気型吸収式ヒートポンプの加熱ネットワーク水入口に接続されており；前記排蒸気の廃熱を回収するための蒸気型吸収式ヒートポンプの中間冷却循環水出口及び中間冷却循環水入口は、それぞれ、前記凝縮器の中間冷却循環水入口及び中間冷却循環水出口に接続されており；前記煙道ガスの廃熱を回収するための蒸気型吸収式ヒートポンプの加熱ネットワーク水出口は、前記蒸気−水熱交換器の加熱ネットワーク水入口に接続されており；前記蒸気−水熱交換器の加熱ネットワーク水出口は、前記温水型吸収式ヒートポンプの前記加熱ネットワーク供給水入口に接続されており；前記煙道ガスの廃熱を回収するための蒸気型吸収式ヒートポンプの中間媒体水出口及び中間媒体水入口は、それぞれ、前記直接接触型煙道ガス凝縮熱交換器の前記第１の中間媒体水入口及び前記第１の中間媒体水出口に接続されており；前記発電設備水−水熱交換器の中間媒体水出口及び中間媒体水入口は、それぞれ、前記直接接触型煙道ガス凝縮熱交換器の前記第２の中間媒体水入口及び前記第２の中間媒体水出口に接続されており；前記煙道ガスの廃熱を回収するための蒸気型吸収式ヒートポンプのドレン水出口、前記蒸気−水熱交換器のドレン水出口、前記凝縮器のドレン水出口、及び前記排蒸気の廃熱を回収するための蒸気型吸収式ヒートポンプのドレン水出口は、前記廃熱ボイラの前記ドレン水入口に接続されており；前記煙道ガスの廃熱を回収するための蒸気型吸収式ヒートポンプの抽出蒸気入口、前記蒸気−水熱交換器の抽出蒸気入口、及び前記排蒸気の廃熱を回収するための蒸気型吸収式ヒートポンプの抽出蒸気入口は、前記蒸気タービンの前記抽出蒸気出口に接続されており；前記凝縮器の排蒸気入口は、前記蒸気タービンの排蒸気出口に接続されていることを特徴とするガス−蒸気コンバインドサイクル集中熱供給装置。
【請求項７】
ガス−蒸気コンバインドサイクルシステムと、加熱ネットワーク戻り水加熱システムと、サーマルステーションとを含み、前記ガス−蒸気コンバインドサイクルシステムは、前記加熱ネットワーク戻り水加熱システムを介して前記サーマルステーションに接続されており；
前記ガス−蒸気コンバインドサイクルシステムは、ガスタービンと、廃熱ボイラと、直接接触型煙道ガス凝縮熱交換器と、蒸気タービンとを含み；前記ガスタービンの排気口は、前記廃熱ボイラの煙道ガス入口に接続されており；前記廃熱ボイラの煙道ガス出口は、前記直接接触型煙道ガス凝縮熱交換器の煙道ガス入口に接続されており、前記廃熱ボイラの蒸気出口は、前記蒸気タービンの抽出蒸気入口に接続されており、前記廃熱ボイラのドレン水入口は、前記加熱ネットワーク戻り水加熱システムに接続されており；前記直接接触型煙道ガス凝縮熱交換器の第１の中間媒体水入口、第１の中間媒体水出口、第２の中間媒体水入口、及び第２の中間媒体水出口は、前記加熱ネットワーク戻り水加熱システムに接続されており；前記蒸気タービンの抽出蒸気出口は、前記加熱ネットワーク戻り水加熱システムに接続されており；
前記サーマルステーションは、温水型吸収式ヒートポンプと、水−水熱交換器とを含み；前記温水型吸収式ヒートポンプの加熱ネットワーク戻り水出口及び加熱ネットワーク供給水入口は、前記加熱ネットワーク戻り水加熱システムに接続されており、前記温水型吸収式ヒートポンプの加熱ネットワーク供給水出口は、前記水−水熱交換器の加熱ネットワーク供給水入口に接続されており、前記温水型吸収式ヒートポンプの加熱ネットワーク戻り水入口は、前記水−水熱交換器の加熱ネットワーク供給水出口に接続されており；
前記加熱ネットワーク戻り水加熱システムは、煙道ガスの廃熱を回収するための蒸気型吸収式ヒートポンプと、蒸気−水熱交換器と、発電設備水−水熱交換器と、凝縮器と、排蒸気の廃熱を回収するための蒸気型吸収式ヒートポンプとを含み；前記凝縮器の加熱ネットワーク水入口は、前記温水型吸収式ヒートポンプの前記加熱ネットワーク戻り水出口に接続されており；前記凝縮器の加熱ネットワーク水出口は、前記発電設備水−水熱交換器の加熱ネットワーク水入口に接続されており；前記発電設備水−水熱交換器の加熱ネットワーク水出口は、前記煙道ガスの廃熱を回収するための蒸気型吸収式ヒートポンプの加熱ネットワーク水入口に接続されており；前記煙道ガスの廃熱を回収するための蒸気型吸収式ヒートポンプの加熱ネットワーク水出口は、前記排蒸気の廃熱を回収するための蒸気型吸収式ヒートポンプの加熱ネットワーク水入口に接続されており；前記排蒸気の廃熱を回収するための蒸気型吸収式ヒートポンプの加熱ネットワーク水出口は、前記蒸気−水熱交換器の加熱ネットワーク水入口に接続されており、前記排蒸気の廃熱を回収するための蒸気型吸収式ヒートポンプの中間冷却循環水出口及び中間冷却循環水入口は、それぞれ、前記凝縮器の中間冷却循環水入口及び中間冷却循環水出口に接続されており；前記蒸気−水熱交換器の加熱ネットワーク水出口は、前記温水型吸収式ヒートポンプの前記加熱ネットワーク供給水入口に接続されており；前記煙道ガスの廃熱を回収するための蒸気型吸収式ヒートポンプのドレン水出口、前記蒸気−水熱交換器のドレン水出口、前記凝縮器のドレン水出口、及び前記排蒸気の廃熱を回収するための蒸気型吸収式ヒートポンプのドレン水出口は、前記廃熱ボイラの前記ドレン水入口に接続されており；前記煙道ガスの廃熱を回収するための蒸気型吸収式ヒートポンプの抽出蒸気入口、前記蒸気−水熱交換器の抽出蒸気入口、及び前記排蒸気の廃熱を回収するための蒸気型吸収式ヒートポンプの抽出蒸気入口は、前記蒸気タービンの前記抽出蒸気出口に接続されており；前記凝縮器の排蒸気入口は、前記蒸気タービンの排蒸気出口に接続されていることを特徴とするガス−蒸気コンバインドサイクル集中熱供給装置。
【請求項８】
１）前記ガス−蒸気コンバインドサイクルシステムにおいて、天然ガス及び空気が混合され前記ガスタービンの燃焼チャンバー内で燃焼されて高温の煙道ガスを生成し、該高温の煙道ガスが前記ガスタービンの燃焼タービン内に流れ込み、膨張して仕事を行い、発電機を駆動させて電力を発生させ；仕事を行った後、前記煙道ガスは、前記廃熱ボイラに入り前記廃熱ボイラ内のボイラ供給水を加熱して前記廃熱ボイラ内に高温蒸気を生成し；前記廃熱ボイラから排出される前記煙道ガスが、前記直接接触型煙道ガス凝縮熱交換器に入り、冷却され、次いで大気中に排出され、前記廃熱ボイラ内で生成した前記高温蒸気が、前記蒸気タービンに入り仕事を行い、電力を発生させ、前記蒸気タービンから抽出蒸気が抽出され、抽出された前記抽出蒸気が前記加熱ネットワーク戻り水加熱システムに入る工程と；
２）前記サーマルステーションから排出される加熱ネットワーク低温戻り水が、前記加熱ネットワーク戻り水加熱システムに入り、前記加熱ネットワーク戻り水加熱システムにおいて加熱され、加熱された前記加熱ネットワーク低温戻り水が、加熱ネットワーク高温供給水として利用されて前記サーマルステーションに戻され、ここで、前記加熱ネットワーク戻り水加熱システムにおいて生成した中間媒体水が、前記直接接触型煙道ガス凝縮熱交換器に入り、前記直接接触型煙道ガス凝縮熱交換器において前記煙道ガスにより加熱され、加熱された前記中間媒体水が前記加熱ネットワーク戻り水加熱システムに戻され；前記加熱ネットワーク戻り水加熱システムにおいて生成した前記抽出蒸気の復水が前記蒸気ボイラに戻される工程と；
３）前記サーマルステーションに戻された前記加熱ネットワーク高温供給水がまず駆動熱源として利用されて前記温水型吸収式ヒートポンプに入り、前記温水型吸収式ヒートポンプ内で熱を放出して冷却され、次いで前記サーマルステーション内の前記水−水熱交換器に入りユーザ供給水を加熱し、前記サーマルステーション内の前記水−水熱交換器内で冷却され、次いで再び低温熱源として前記温水型吸収式ヒートポンプに入り、最終的に、熱を放射して前記加熱ネットワーク低温戻り水の設計温度まで冷却され、前記加熱ネットワーク低温戻り水として利用されて前記サーマルステーションから前記加熱ネットワーク戻り水加熱システムに入る工程と；
を含むことを特徴とする請求項１から７のいずれかに記載のガス−蒸気コンバインドサイクル集中熱供給装置の熱供給方法。
【国際調査報告】
2017510742.tif 000011
2017510742.tif 000012
2017510742.tif 000013
2017510742.tif 000014
2017510742.tif 000015
2017510742.tif 000016